(57)【特許請求の範囲】
【請求項１】
外筒と、
前記外筒内に回転可能に収容され、前面に鍵穴を有し、後面に第１段差部を有する内筒と、
前記内筒の前記後面に対向して設けられ、前記内筒とともに回転可能な出力軸と、
前記出力軸の前記内筒の前記後面に対向する面に設けられ、前記内筒が前記出力軸とは独立して回転する場合に、第１回転位置で前記第１段差部を係止して前記内筒の回転を制限する第１位置と、前記第１回転位置で前記第１段差部を係止せずに前記内筒の回転を制限しない第２位置との間を前記出力軸に対して移動可能な移動部材と
を備えるシリンダ錠。
【請求項２】
前記内筒は、前記後面の前記第１段差部とは異なる位置に第２段差部を有し、
前記出力軸に対して第２位置にある前記移動部材は、前記第１回転位置で前記内筒の回転を制限せず、前記第１回転位置よりさらに回転した第２回転位置で前記第２段差部を係止して前記内筒の回転を制限する、請求項１に記載のシリンダ錠。
【請求項３】
前記内筒は、前記後面に前記鍵穴と連通した円弧状の第１溝と、前記第１溝から前記第１段差部を介して連続して前記第２段差部まで伸びる円弧状の第２溝とを有し、
前記内筒が前記出力軸とは独立して回転する場合、前記第１位置にある前記移動部材は前記第１溝内を通過し、前記第２位置にある前記移動部材は前記第１溝および前記第２溝内を通過する、請求項２に記載のシリンダ錠。
【請求項４】
前記移動部材は、弾性体を介して前記出力軸に対して移動可能に設けられ、
前記移動部材は、前記鍵穴に挿入された挿入部材により前記第１溝を介して押されることで前記弾性体の収縮を伴って前記第１位置から前記第２位置に移動し、前記第１溝内で前記挿入部材により押されなくなると、前記弾性体の復元力により前記第２位置から前記第１位置に戻る、請求項３に記載のシリンダ錠。
【請求項５】
前記移動部材は、前記弾性体と一体的に形成されている、請求項４に記載のシリンダ錠。
【請求項６】
前記移動部材は、弾性体であり、
前記移動部材は、前記鍵穴に挿入された挿入部材により前記第１溝を介して押されることで収縮しながら前記第１位置から前記第２位置に移動し、前記第１溝内で前記挿入部材により押されなくなると、復元力により前記第２位置から前記第１位置に戻る、請求項３に記載のシリンダ錠。
【請求項７】
前記移動部材は、前記挿入部材として前記鍵穴に挿入された予め定められた鍵により押されることで、前記第１位置から前記第２位置に移動する、請求項４から請求項６のいずれか１つに記載のシリンダ錠。
【請求項８】
前記シリンダ錠は、鍵コードを変更可能であり、
前記第１回転位置および前記第２回転位置のそれぞれは、鍵コードをリセット可能なリセット位置である、請求項２から請求項７のいずれか１つに記載のシリンダ錠。
【発明の詳細な説明】
【技術分野】
【０００１】
本発明は、シリンダ錠に関する。
【背景技術】
【０００２】
特許文献１および特許文献２には、キーコードを変更可能なシリンダ錠が開示されている。
特許文献１  特開２００８−５７３３５号公報
特許文献２  特開２００９−２２００９７号公報
【発明の概要】
【発明が解決しようとする課題】
【０００３】
遊技機などに用いられるシリンダ錠において、流通過程などで不正に錠が開けられたことを把握できるようにすることが望まれている。
【課題を解決するための手段】
【０００４】
本発明の一態様に係るシリンダ錠は、外筒と、外筒内に回転可能に収容され、前面に鍵穴を有し、後面に第１段差部を有する内筒と、内筒の後面に対向して設けられ、内筒とともに回転可能な出力軸と、出力軸の内筒の後面に対向する面に設けられ、内筒が出力軸とは独立して回転する場合に、第１回転位置で第１段差部を係止して内筒の回転を制限する第１位置と、第１回転位置で第１段差部を係止せずに内筒の回転を制限しない第２位置との間を出力軸に対して移動可能な移動部材とを備える。
【０００５】
上記シリンダ錠において、内筒は、後面の第１段差部とは異なる位置に第２段差部を有し、出力軸に対して第２位置にある移動部材は、第１回転位置で内筒の回転を制限せず、第１回転位置よりさらに回転した第２回転位置で第２段差部を係止して内筒の回転を制限してよい。
【０００６】
上記シリンダ錠において、内筒は、後面に鍵穴と連通した円弧状の第１溝と、第１溝から第１段差部を介して連続して第２段差部まで伸びる円弧状の第２溝とを有し、内筒が出力軸とは独立して回転する場合、第１位置にある移動部材は第１溝内を通過し、第２位置にある移動部材は第１溝および第２溝内を通過してよい。
【０００７】
上記シリンダ錠において、移動部材は、弾性体を介して出力軸に対して移動可能に設けられ、移動部材は、鍵穴に挿入された挿入部材により第１溝を介して押されることで弾性体の収縮を伴って第１位置から第２位置に移動し、第１溝内で挿入部材により押されなくなると、弾性体の復元力により第２位置から第１位置に戻ってよい。
【０００８】
上記シリンダ錠において、移動部材は、弾性体と一体的に形成されてもよい。
【０００９】
上記シリンダ錠において、移動部材は、弾性体であり、移動部材は、鍵穴に挿入された挿入部材により第１溝を介して押されることで収縮しながら第１位置から第２位置に移動し、第１溝内で挿入部材により押されなくなると、復元力により第２位置から第１位置に戻ってよい。
【００１０】
上記シリンダ錠において、移動部材は、挿入部材として鍵穴に挿入された予め定められた鍵により押されることで、第１位置から第２位置に移動してよい。
【００１１】
上記シリンダ錠は、鍵コードを変更可能であり、第１の回転位置および第２の回転位置のそれぞれは、鍵コードをリセット可能なリセット位置でよい。
【００１２】
なお、上記の発明の概要は、本発明の特徴の全てを列挙したものではない。また、これらの特徴群のサブコンビネーションもまた、発明となりうる。
【図面の簡単な説明】
【００１３】
【図１】本実施形態に係るシリンダ錠の概観斜視図の一例である。
【図２】本実施形態に係るシリンダ錠の分解斜視図である。
【図３】内筒の後面を示す外観斜視図の一例を示す。
【図４】シリンダ錠に特殊鍵が挿入される様子を示す図である。
【図５】鍵穴に特殊鍵が挿入された状態のシリンダ錠の断面図の一例である。
【図６Ａ】特殊鍵が鍵穴に挿入され、リセットボタンを押さない状態で、特殊鍵を時計回りに回した場合の内筒の動きを示す図である。
【図６Ｂ】特殊鍵が鍵穴に挿入され、リセットボタンを押した状態で、特殊鍵を反時計回りに回した場合の内筒の動きを示す図である。
【図７Ａ】特殊鍵が鍵穴に挿入され、リセットボタンを押さない状態で、特殊鍵を時計回りに回した場合の特殊鍵、内筒、出力軸、移動部材の位置関係を示す模式図である。
【図７Ｂ】特殊鍵が鍵穴に挿入され、リセットボタンを押した状態で、特殊鍵を反時計回りに回した場合の特殊鍵、内筒、出力軸、移動部材の位置関係を示す模式図である。
【図８】特殊鍵を用いて内筒を第２回転位置まで回転させたシリンダ錠の様子を示す図である。
【図９】シリンダ錠に一般鍵が挿入される様子を示す図である。
【図１０】鍵穴に一般鍵が挿入された状態のシリンダ錠の断面図の一例である。
【図１１Ａ】一般鍵が鍵穴に挿入され、リセットボタンを押さない状態で、一般鍵を時計回りに回した場合の内筒の動きを示す図である。
【図１１Ｂ】一般鍵が鍵穴に挿入され、リセットボタンを押した状態で、一般鍵を反時計回りに回した場合の内筒の動きを示す図である。
【図１２Ａ】一般鍵が鍵穴に挿入され、リセットボタンを押さない状態で、一般鍵を時計回りに回した場合の一般鍵、内筒、出力軸、移動部材の位置関係を示す模式図である。
【図１２Ｂ】一般鍵が鍵穴に挿入され、リセットボタンを押した状態で、一般鍵を反時計回りに回した場合の一般鍵、内筒、出力軸、移動部材の位置関係を示す模式図である。
【図１３】一般鍵を用いて内筒を第１回転位置まで回転させたシリンダ錠の様子を示す図である。
【図１４】弾性体として板バネを利用した場合のシリンダ錠の部分断面図である。
【図１５Ａ】弾性体として樹脂バネを利用した場合のシリンダ錠の部分断面図である。
【図１５Ｂ】内筒が特殊鍵を利用して反時計回りに回転して、第２回転位置まで回転した場合の樹脂バネが変形した状態を示す図である。
【図１６Ａ】弾性体としてシリコン製のドーム状バネを利用した場合のシリンダ錠の部分断面図である。
【図１６Ｂ】内筒が特殊鍵を利用して反時計回りに回転して、第２回転位置まで回転した場合のドーム状バネが変形した状態を示す図である。
【図１７Ａ】弾性体としてポリウレタン製の材料を利用して、移動部材自体を弾性体として用いる場合のシリンダ錠の部分断面図である。
【図１７Ｂ】内筒が特殊鍵を利用して反時計回りに回転して、第２回転位置まで回転した場合の移動部材が変形した状態を示す図である。
【発明を実施するための形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１５】
図１は、本実施形態に係るシリンダ錠１０の概観斜視図の一例である。シリンダ錠１０は、キーコードを変更可能なシリンダ錠である。シリンダ錠１０は、外筒２０、および内筒３０を備える。外筒２０は、回転軸を中心に内筒３０を回転可能に収容する。内筒３０は、鍵が挿入される鍵穴３１を有する。
【００１６】
シリンダ錠１０は、例えば、遊技機本体が有する取付穴に設けられ、枠に対する遊技機本体の施錠を行う。シリンダ錠１０は、遊技機本体に対するカバーの施錠をさらに行う。例えば、鍵がシリンダ錠１０に対して時計回りに回転されることで、シリンダ錠１０は、枠に対する遊技機本体の施錠状態を開錠状態にする。また、鍵がシリンダ錠１０に対して反時計回りに回転されることで、シリンダ錠１０は、遊技機本体に対するカバーの施錠状態を開錠状態にする。
【００１７】
シリンダ錠１０に用いられる鍵には、一般鍵および固有鍵がある。さらに、シリンダ錠１０に用いられる鍵には、特殊鍵がある。一般鍵、固有鍵、および特殊鍵を総称して鍵と称する場合もある。一般鍵は、複数のシリンダ錠に共通のキーコードを有する鍵である。一般鍵は、例えば、複数の店舗で共通の鍵である。一般鍵は、入手が比較的容易で、固有鍵よりセキュリティが低い鍵である。固有鍵は、固有のキーコードを有する鍵である。固有鍵は、例えば、店舗毎に異なる鍵である。固有鍵は、入手に制限があり、不正に入手することが困難であり、一般鍵よりセキュリティが高い鍵である。特殊鍵は、挿入部材の一例であり、一般鍵および固有鍵とは異なる鍵である。特殊鍵は、予め定められた鍵の一例である。特殊鍵は、一般鍵と同様に、複数のシリンダ錠に共通のキーコードを有する鍵でよい。しかし、一般鍵とは異なり、不正に入手することが困難な鍵である。特殊鍵についての詳細は後述する。
【００１８】
シリンダ錠の出荷時には、店舗などの設置場所の固有鍵のキーコードが不明である場合が多い。例えば、複数のホールに用いられる大量の遊技機がトラックで輸送されることがある。また、大量の遊技機が一旦流通倉庫に保管された後、各ホールに分配されることがある。また、ホールに設置される遊技機の台数が変更されることもある。このように、遊技機は、設置されるまでどのホールに設置されるか確定できない場合が多い。
【００１９】
そこで、一般に、シリンダ錠は、ホールへの設置時の便宜性を確保するために、開錠可能なキーコードとして、一般鍵のキーコードが設定された状態で出荷される。開錠可能なキーコードとして一般鍵のキーコードが設定されていることで、遊技機の出荷前の検査、または着荷後の検査を容易に実施することができる。
【００２０】
ホールの管理者は、遊技機がホールに設置された後に、一般鍵を用いてシリンダ錠のキーコードをリセットして、そのホールに固有の固有鍵を用いて固有鍵のキーコードをシリンダ錠の施錠可能なキーコードに設定する。これにより、シリンダ錠は、ホールに固有の固有鍵でのみ開錠および施錠されることができ、セキュリティを高めることができる。
【００２１】
しかしながら、遊技機に設けられたシリンダ錠のキーコードが一般鍵のキーコードに設定されている場合、遊技機が出荷され、ホールに設置されるまでの間に、不特定の人が入手可能な一般鍵を用いて遊技機に不正行為が行われる可能性がある。例えば、遊技機の流通倉庫に保管されている遊技機に対して、不正に部品交換などが行われる可能性がある。したがって、流通過程などにおいて不正にシリンダ錠が開錠されたことを把握できることが望ましい。
【００２２】
本実施形態に係るシリンダ錠１０において、内筒３０は、施錠された状態を示す基準位置２４ａから一般鍵または固有鍵を用いてキーコードをリセット可能な位置を示す第１回転位置２４ｂまで回転できる。また、内筒３０は、基準位置２４ａから特殊鍵を用いてキーコードをリセット可能な別の位置を示す第２回転位置２４ｃまでさらに回転できる。内筒３０は、特殊鍵を用いなければ、第２回転位置２４ｃまで回転できない。
【００２３】
例えば、シリンダ錠１０は、内筒３０の位置を第２回転位置２４ｃにした状態で出荷される。したがって、例えば、一旦、流通過程などにおいて一般鍵を用いて開錠した場合、改めてリセット可能な位置まで内筒３０を戻そうとしても、内筒３０は、第１回転位置２４ｂまでしか回転できない。よって、内筒３０が第２回転位置２４ｃにあるか否かを判別することで、流通過程などにおいて不正にシリンダ錠１０が開錠された可能性があるか否かを判断できる。
【００２４】
図２は、本実施形態に係るシリンダ錠１０の分解斜視図である。図３は、内筒３０の後面３２を示す外観斜視図の一例を示す。シリンダ錠１０は、出力軸４０および背面カバー２２をさらに備える。外筒２０は、内筒３０のほかに、出力軸４０を回転可能に収容する。内筒３０は、前面に鍵穴３１を有する。背面カバー２２は、開口２３を有し、出力軸４０の一部を開口２３を介して外部に露出した状態で覆う。出力軸４０は、外部の施錠ユニットと機械的に連結される。出力軸４０が回転することに応じて施錠ユニットが施錠対象の開錠および施錠を行う。
【００２５】
シリンダ錠１０は、リセットボタン５０をさらに備える。リセットボタン５０が押されていない状態では、内筒３０は、出力軸４０と共に回転する。一方、リセットボタン５０が押された状態では、出力軸４０は回転せず、内筒３０は出力軸４０とは独立して回転する。なお、本実施形態ではリセットボタン５０を利用して、内筒３０を出力軸４０とともに回転させるか、内筒３０を出力軸４０とは独立して回転させるかを切り替えるシリンダ錠１０を例に説明する。しかし、シリンダ錠１０は、リセットボタン５０を備えなくてもよい。この場合、内筒３０は、予め定められた第１回転範囲では、出力軸４０と共に回転し、予め定められた第２回転範囲では、出力軸４０は回転せず、内筒３０は出力軸４０とは独立して回転する。
【００２６】
シリンダ錠１０は、移動部材４２およびバネ４４をさらに備える。バネ４４は、弾性体の一例である。出力軸４０は、内筒３０の後面３２に対向する面に、孔４６を有する。移動部材４２は、孔４６内にバネ４４を介して内筒３０の回転軸方向に移動可能に出力軸４０に設けられる。
【００２７】
図３に示すように、内筒３０は、後面３２に、第１段差部３４を有する。内筒３０は、後面３２の第１段差部３４とは異なる位置に第２段差部３６をさらに有する。内筒３０は、後面３２に、鍵穴３１と連通した円弧状の第１溝３３と、第１溝３３から第１段差部３４を介して連続して第２段差部３６まで伸びる円弧状の第２溝３５とを有する。内筒３０は、第１溝３３の第１段差部３４とは反対側の終端に、第３段差部３７をさらに有する。
【００２８】
移動部材４２は、出力軸４０の前面から一部が突出している第１位置と、第１位置よりも突出していない第２位置との間を出力軸４０に対して移動する。移動部材４２は、内筒３０が基準位置２４ａにある場合、第１溝３３内にある。内筒３０の後面３２側に突出している第１位置にある移動部材４２は、内筒３０が出力軸４０とは独立して回転する場合、第１溝３３内を通過して、第１回転位置２４ｂで第１段差部３４を係止して内筒３０の回転を制限する。一方、第１位置より内筒３０の後面３２側に突出していない第２位置にある移動部材４２は、第１回転位置２４ｂで内筒３０の回転を制限せず、第１溝３３から第１段差部３４を乗り越えて第２溝３５内を通過し、第１回転位置２４ｂよりさらに回転した第２回転位置２４ｃで第２段差部３６を係止して内筒３０の回転を制限する。
【００２９】
移動部材４２は、鍵穴３１に挿入された特殊鍵により第１溝３３を介して押されることでバネ４４の収縮を伴って第１位置から第２位置に移動し、第１溝３３内で特殊鍵により押されなくなると、バネ４４の復元力により第２位置から第１位置に戻る。
【００３０】
図４は、シリンダ錠１０に特殊鍵１００が挿入される様子を示す図である。図５は、鍵穴３１に特殊鍵１００が挿入された状態のシリンダ錠１０の断面図の一例である。特殊鍵１００は、鍵穴３１に挿入され、移動部材４２に対向する位置にあるときに、移動部材４２を押さえつけて、第１位置から第２位置に移動させる形状になっている先端部１０２を有する。特殊鍵１００が鍵穴３１に挿入され、移動部材４２に対向する位置にくると、図５に示すように、移動部材４２は、特殊鍵１００の先端部１０２により押されて、内筒３０および出力軸４０の回転軸方向に沿って第１位置から第２位置まで移動する。
【００３１】
図６Ａは、特殊鍵１００が鍵穴３１に挿入され、リセットボタン５０を押さない状態で、特殊鍵１００を時計回りに回した場合の内筒３０の動きを示す図である。図７Ａは、特殊鍵１００が鍵穴３１に挿入され、リセットボタン５０を押さない状態で、特殊鍵１００を時計回りに回した場合の特殊鍵１００、内筒３０、出力軸４０、移動部材４２の位置関係を示す模式図である。
【００３２】
図６Ｂは、特殊鍵１００が鍵穴３１に挿入され、リセットボタン５０を押した状態で、特殊鍵１００を反時計回りに回した場合の内筒３０の動きを示す図である。図７Ｂは、特殊鍵１００が鍵穴３１に挿入され、リセットボタン５０を押した状態で、特殊鍵１００を反時計回りに回した場合の特殊鍵１００、内筒３０、出力軸４０、移動部材４２の位置関係を示す模式図である。
【００３３】
図６Ａおよび図７Ａに示すように、リセットボタン５０を押さない状態で、特殊鍵１００を時計回りに回すと、内筒３０は、出力軸４０および移動部材４２とともに予め定められた第１開錠位置まで時計回りに回る。なお、リセットボタン５０を押さない状態で、特殊鍵１００を反時計回りに回した場合、内筒３０は、出力軸４０および移動部材４２とともに予め定められた第２開錠位置まで反時計回りに回る。
【００３４】
なお、リセットボタン５０がないタイプのシリンダ錠の場合には、特殊鍵１００を時計回りに回すと、移動部材４２が第１溝３３の終端の第３段差部３７により押されながら、出力軸４０が内筒３０とともに第１開錠位置まで時計回りに回る。リセットボタン５０がないタイプのシリンダ錠の場合、第１開錠位置から内筒３０を反時計回りに回すと、移動部材４２が内筒３０と係止状態とならないので、このままでは、出力軸４０は回転せずに、内筒３０のみが反時計回りに回転することになる。しかし、出力軸４０は、通常、ユーザが鍵を持って内筒３０を開錠位置に維持していないと、出力軸４０が自動的に基準位置２４ａに戻るように、出力軸４０にはバネなどの弾性体が接続されている。
【００３５】
例えば、シリンダ錠１０は、遊技機本体の枠に設けられた施錠ユニットと協働して、枠に対する遊技機本体の施錠状態と開錠状態との切り替えを行う。施錠ユニットは、シリンダ錠１０が固定される取付フレームと、取付フレームに対してバネなどの弾性体を介して取付フレームの長手方向に沿って移動可能に取り付けられた可動プレートとを有する。出力軸４０は、可動プレートに固定されており、鍵を用いて内筒３０とともに出力軸４０が回転すると、可動プレートが弾性体の伸張または収縮に伴って取付フレームの長手方向の第１方向に沿って移動する。これにより、遊技機本体を施錠状態から開錠状態に切り替えられる。ここで、例えば、ユーザが鍵を離すと、可動プレートに取り付けられた弾性体の復元力により、可動プレートが、取付フレームの長手方向に沿った第１方向とは逆の第２方向に移動して、元の基準位置に戻る。可動プレートの移動に伴って、出力軸４０も逆回転して、元の基準位置２４ａに戻る。このように、リセットボタン５０がないタイプのシリンダ錠の場合には、バネなどの弾性体の復元力を利用して、出力軸４０を第１開錠位置から基準位置２４ａに戻すことができる。
【００３６】
図６Ｂおよび図７Ｂに示すように、リセットボタン５０を押した状態で、特殊鍵１００を反時計回りに回すと、内筒３０は、出力軸４０とは独立して反時計回りに回転していく。このとき、出力軸４０に固定されている移動部材４２は、内筒３０の第１溝３３内を移動し、第１回転位置２４ｂで第１段差部３４に達する。内筒３０が第１回転位置２４ｂにくると、移動部材４２は、特殊鍵１００の先端部１０２に押されて、内筒３０の後面３２側への突出が小さくなる。したがって、移動部材４２は、第１段差部３４を係止せず、移動部材４２は、第１段差部３４を乗り越えることができる。そして、内筒３０は、さらに反時計回りに回転して、第２回転位置２４ｃまで回転する。このとき、移動部材４２は、第２溝３５内を移動して、第２段差部３６まで達する。そして、移動部材４２は、第２段差部３６を係止することで、内筒３０の回転を第２回転位置２４ｃで制限する。
【００３７】
図８は、特殊鍵１００を用いて内筒３０を第２回転位置２４ｃまで回転させたシリンダ錠１０の様子を示す図である。このように、特殊鍵１００を用いて内筒３０を回転させると、内筒３０は、第２回転位置２４ｃまで回転できる。
【００３８】
図９は、シリンダ錠１０に一般鍵１１０が挿入される様子を示す図である。図１０は、鍵穴３１に一般鍵１１０が挿入された状態のシリンダ錠１０の断面図の一例を示す。一般鍵１１０は、鍵穴３１に挿入され、移動部材４２に対向する位置にあるときに、移動部材４２を押さえつけず、第１位置を維持できる形状になっている先端部１１２を有する。一般鍵１１０は、特殊鍵１００より鍵穴３１に挿入できる部分が短い鍵でよい。特殊鍵１００が鍵穴３１に挿入され、移動部材４２に対向する位置に移動しても、図１０に示すように、移動部材４２は、一般鍵１１０の先端部１１２により押されず、第１位置のままである。
【００３９】
図１１Ａは、一般鍵１１０が鍵穴３１に挿入され、リセットボタン５０を押さない状態で、一般鍵１１０を時計回りに回した場合の内筒３０の動きを示す図である。図１２Ａは、一般鍵１１０が鍵穴３１に挿入され、リセットボタン５０を押さない状態で、一般鍵１１０を時計回りに回した場合の一般鍵１１０、内筒３０、出力軸４０、移動部材４２の位置関係を示す模式図である。
【００４０】
図１１Ｂは、一般鍵１１０が鍵穴３１に挿入され、リセットボタン５０を押した状態で、一般鍵１１０を反時計回りに回した場合の内筒３０の動きを示す図である。図１２Ｂは、一般鍵１１０が鍵穴３１に挿入され、リセットボタン５０を押した状態で、一般鍵１１０を反時計回りに回した場合の一般鍵１１０、内筒３０、出力軸４０、移動部材４２の位置関係を示す模式図である。
【００４１】
図１１Ａおよび図１２Ａに示すように、リセットボタン５０を押さない状態で、一般鍵１１０を時計回りに回すと、内筒３０は、出力軸４０および移動部材４２とともに予め定められた第１開錠位置まで時計回りに回る。なお、リセットボタン５０を押さない状態で、一般鍵１１０を反時計回りに回した場合、内筒３０は、出力軸４０および移動部材４２とともに予め定められた第２開錠位置まで反時計回りに回る。
【００４２】
図１１Ｂおよび図１２Ｂに示すように、リセットボタン５０を押した状態で、一般鍵１１０を反時計回りに回すと、内筒３０は、出力軸４０とは独立して反時計回りに回転していく。このとき、出力軸４０に固定されている移動部材４２は、内筒３０の第１溝３３内を移動し、第１回転位置２４ｂで第１段差部３４に達する。内筒３０が第１回転位置２４ｂで、移動部材４２は、一般鍵１１０の先端部１１２に押されず、移動部材４２は、内筒３０の後面３２側に突出したままである。したがって、移動部材４２は、第１段差部３４を乗り越えることができない。よって、移動部材４２が第１段差部３４を係止して、内筒３０の回転を第１回転位置２４ｂで制限する。図１３は、一般鍵１１０を用いて内筒３０を第１回転位置２４ｂまで回転させた様子を示す図である。このように、一般鍵１１０を用いて内筒３０を回転させると、内筒３０は、第１回転位置２４ｂまでしか回転できない。
【００４３】
以上のように、本実施形態によれば、内筒３０は、施錠された状態を示す基準位置２４ａから一般鍵１１０（または固有鍵）を用いてキーコードをリセット可能な位置を示す第１回転位置２４ｂまで回転できる。一方、内筒３０は、基準位置２４ａから特殊鍵１００を用いてキーコードをリセット可能な別の位置を示す第２回転位置２４ｃまでさらに回転できる。内筒３０は、特殊鍵１００を用いなければ、第２回転位置２４ｃまで回転できない。したがって、例えば、内筒３０が第２回転位置２４ｃにしてあるシリンダ錠１０を、一旦、流通過程などにおいて一般鍵１１０を用いて開錠した場合、改めてリセット可能な位置まで内筒３０を戻そうとしても、内筒３０は、第１回転位置２４ｂまでしか回転できない。よって、内筒３０が第２回転位置２４ｃにあるか否かを判別することで、流通過程などにおいて不正にシリンダ錠１０が開錠された可能性があるか否かを判断できる。
【００４４】
また、本実施形態では、特殊鍵１００を鍵穴３１に挿入することで、移動部材４２を第１位置から第２位置まで移動させる形態について説明した。しかし、移動部材４２は、任意のユーザにより第１位置から第２位置まで移動できなければ、特殊鍵１００を鍵穴３１に挿入する方法以外の方法で、移動部材４２を第１位置から第２位置まで移動させてもよい。例えば、入手が制限されている特殊工具を用いて移動部材４２を第１位置から第２位置まで物理的にまたは電気的に移動させてもよい。この場合、特殊工具を鍵穴３１に挿入して用いてもよいし、例えば、鍵穴３１以外の部分のボタンなどを特殊工具により押すことで、物理的または電気的に移動部材４２を第１位置から第２位置まで移動させてもよい。
【００４５】
また、本実施形態では、移動部材４２は、バネ４４の復元力を利用して、第２位置から第１位置まで戻る例について説明した。しかし、バネ４４以外の弾性体を利用して、移動部材４２は、第２位置から第１位置まで戻ることができる。さらに、本実施形態では、移動部材４２と、弾性体であるバネ４４とを別個の部材で構成する例について説明した。しかしながら、移動部材と弾性体とを一体的に形成してもよい。また、移動部材４２を弾性材料で構成し、移動部材４２自体を弾性体として機能させてもよい。この場合、移動部材４２は、鍵穴３１に挿入された特殊鍵１００により第１溝３３を介して押されることで収縮しながら第１位置から第２位置に移動し、第１溝３３内で特殊鍵１００により押されなくなると、復元力により第２位置から第１位置に戻る。
【００４６】
図１４は、弾性体として板バネ４４１を利用した場合のシリンダ錠１０の部分断面図を示す。この場合、移動部材４２は、鉄、ステンレスなどの金属材料により、板バネ４４１と一体的に形成してもよい。
【００４７】
図１５Ａは、弾性体として樹脂バネ４４２を利用した場合のシリンダ錠１０の部分断面図を示す。この場合、移動部材４２は、樹脂材料により、樹脂バネ４４２と一体的に形成してもよい。図１５Ｂは、内筒３０が特殊鍵１００を利用して反時計回りに回転して、第２回転位置２４ｃまで回転した場合の樹脂バネ４４２が変形した状態を示す。
【００４８】
図１６Ａは、弾性体としてシリコン製のドーム状バネ４４３を利用した場合のシリンダ錠１０の部分断面図を示す。この場合、移動部材４２は、シリコン材料により、ドーム状バネ４４３と一体的に形成してもよい。図１６Ｂは、内筒３０が特殊鍵１００を利用して反時計回りに回転して、第２回転位置２４ｃまで回転した場合のドーム状バネ４４３が変形した状態を示す。
【００４９】
図１７Ａは、弾性体としてポリウレタン製の材料を利用して、移動部材４２１自体を弾性体として用いる場合のシリンダ錠１０の部分断面図を示す。図１７Ｂは、内筒３０が特殊鍵１００を利用して反時計回りに回転して、第２回転位置２４ｃまで回転した場合の移動部材４２１が変形した状態を示す。
【００５０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５２】
１０  シリンダ錠
２０  外筒
２２  背面カバー
２３  開口
２４ａ  基準位置
２４ｂ  第１回転位置
２４ｃ  第２回転位置
３０  内筒
３１  鍵穴
３２  後面
３３  第１溝
３４  第１段差部
３５  第２溝
３６  第２段差部
３７  第３段差部
４０  出力軸
４２  移動部材
４４  バネ
４６  孔
５０  リセットボタン
１００  特殊鍵
１１０  一般鍵
【図１】
0006365285.tif 000002
【図２】
0006365285.tif 000003
【図３】
0006365285.tif 000004
【図４】
0006365285.tif 000005
【図５】
0006365285.tif 000006
【図６Ａ】
0006365285.tif 000007
【図６Ｂ】
0006365285.tif 000008
【図７Ａ】
0006365285.tif 000009
【図７Ｂ】
0006365285.tif 000010
【図８】
0006365285.tif 000011
【図９】
0006365285.tif 000012
【図１０】
0006365285.tif 000013
【図１１Ａ】
0006365285.tif 000014
【図１１Ｂ】
0006365285.tif 000015
【図１２Ａ】
0006365285.tif 000016
【図１２Ｂ】
0006365285.tif 000017
【図１３】
0006365285.tif 000018
【図１４】
0006365285.tif 000019
【図１５Ａ】
0006365285.tif 000020
【図１５Ｂ】
0006365285.tif 000021
【図１６Ａ】
0006365285.tif 000022
【図１６Ｂ】
0006365285.tif 000023
【図１７Ａ】
0006365285.tif 000024
【図１７Ｂ】
0006365285.tif 000025